(57)【特許請求の範囲】
【請求項１】
背もたれ部と、
前記背もたれ部を回動可能に支持する支持部と、
前記背もたれ部と前記支持部との間に、前記背もたれ部の傾斜角度を調節するリクライニング機構と、を有し、
前記リクライニング機構は、
前記背もたれ部および前記支持部のいずれか一方に取り付けられ、他方に設けられた係止部材と係脱自在となって前記背もたれ部の傾斜角度を変化させる複数の係合凹部が設けられた第１の部材と、
前記複数の係合凹部にそれぞれ対応して形成された複数のロック凹部が設けられた第２の部材と、を有し、
前記ロック凹部は、初期状態で、前記係合凹部が前記係止部材を係脱する方向とは異なる方向に開口しており、前記第１の部材を前記第２の部材に対し相対的に移動した場合、前記係止部材を係脱可能とする乳幼児用シート。
【請求項２】
請求項1において、前記第１の部材と前記第２の部材との間に設けられ、前記係合凹部と前記ロック凹部とが前記係止部材を係合した状態を保持するロック保持手段と、を有する乳幼児用シート。
【請求項３】
請求項２において、
前記ロック保持手段は、第１の部材と第２の部材を初期状態に付勢する付勢手段である乳幼児用シート。
【請求項４】
請求項１乃至請求項３のいずれか一項において、
前記第１の部材および前記第２の部材のうち一方の部材を、他方の部材を挟んで両側に配置するとともに、両側に配置した部材を互いに一体に結合した乳幼児用シート。
【発明の詳細な説明】
【技術分野】
【０００１】
本発明は、乳幼児用シートに関する。
【背景技術】
【０００２】
従来の乳幼児用シートには、幼児を着座させた状態で寝かせておく背もたれ部と、この背もたれ部を回動可能に支持する支持部と、を備え、これら背もたれ部と支持部との間にリクライニング機構を設けて、背もたれ部の傾斜角度を複数段で調節できるようになったものがある（特許文献１参照）。
【先行技術文献】
【特許文献】
【０００３】
【特許文献１】特開２００７−２８２９２７号公報
【発明の概要】
【発明が解決しようとする課題】
【０００４】
しかしながら、かかる従来の乳幼児用シートのリクライニング機構は、背もたれ部側に、複数の係合凹部を設けた傾斜角度調整具が取り付けられ、その傾斜角度調整部の複数の係合凹部の１つに支持部側に設けた係止バーを係合させることにより、背もたれ部の傾斜角度が固定されるようになっている。ところが、係止バーは単に係合凹部に挿入した状態で係合される構造であるため、幼児が背もたれ部上であばれたり、幼児を寝かし付けるために背もたれ部を上下に揺らすなどした場合に、傾斜角度調整具と係止バーとの間に上下方向の揺動荷重が作用されてしまう。すると、その揺動荷重によって係止バーが係合凹部から抜脱されてしまう虞がある。
【０００５】
このように係止バーが係合凹部から抜脱されると、背もたれ部を所定角度に保持していた支持力が無くなるため、背もたれ部が勢いよく後方に倒れてしまうという不具合があった。そこで、本発明は、かかる従来の不具合に鑑みて、背もたれ部が上下方向に揺動された場合にも、リクライニング機構によって背もたれ部を所定の角度に保持させた状態を維持できるようにした乳幼児用シートを提供するものである。
【課題を解決するための手段】
【０００６】
本発明の乳幼児用シートは、背もたれ部と、背もたれ部を回動可能に支持する支持部と、背もたれ部と支持部との間に、背もたれ部の傾斜角度を調節するリクライニング機構が設けられており、このリクライニング機構は、背もたれ部および支持部のいずれか一方に取り付けられ、他方に設けられた係止部材と係脱自在となって背もたれ部の傾斜角度を変化させる複数の係合凹部が設けられた第１の部材と、複数の係合凹部にそれぞれ対応して形成された複数のロック凹部が設けられた第２の部材と、を有し、ロック凹部は、初期状態で、係合凹部が前記係止部材を係脱する方向とは異なる方向に開口しており、第１の部材を第２の部材に対し相対的に移動した場合、係止部材を係脱可能とする。
【０００７】
本発明の乳幼児用シートにおいて、第１の部材と前記第２の部材との間に設けられ、係合凹部とロック凹部とが係止部材を係合した状態を保持するロック保持手段と、を備えていることが好ましい。なお、ロック保持手段は、第１の部材と第２の部材を初期状態に付勢する付勢手段であることが好ましい。また、第１の部材および第２の部材のうち一方の部材を、他方の部材を挟んで両側に配置するとともに、両側に配置した部材を互いに一体に結合しておくことが好ましい。
【発明の効果】
【０００８】
本発明によれば、背もたれ部を所定の角度に保持させた状態をより確実に維持できる乳幼児用シートを提供することができる。
【図面の簡単な説明】
【０００９】
【図１】図１は、本発明の一実施形態にかかる乳幼児用シートの全体斜視図である。
【図２】図２は、図１に示す乳幼児用シートの骨格部分を示す斜視図である。
【図３】図３は、本発明の主要部分となるリクライニング機構の取付部分を拡大して示す斜視図である。
【図４】図４は、図３に示すリクライニング機構を示す拡大斜視図である。
【図５】図５は、図４に示すリクライニング機構の第１の部材を示す側面図である。
【図６】図６は、図４に示すリクライニング機構の第２の部材を示す側面図である。
【図７】図７は、図４に示すリクライニング機構の作動状態を示し、（ａ）はロック状態を模式的に示す側面図、（ｂ）はロック解除状態を模式的に示す側面図である。
【発明を実施するための形態】
【００１０】
図１から図７は、本発明にかかる乳幼児用シート１の一実施形態を示し、図１に示すように、この乳幼児用シート１は、背もたれ部２と、この背もたれ部２を回動可能に支持する支持部３と、を備えて概ね構成される。
【００１１】
背もたれ部２は、図２に示すように、パイプ材で逆Ｕ字状に折曲形成した背もたれフレーム２１に、シート本体２２を被せて取り付けることにより構成され、このシート本体２２に乳幼児を着座させた状態で寝かせることができるようになっている。シート本体２２は、マットやメッシュなどの乳幼児を支持できる素材で形成しておくことができる。また、シート本体２２の背もたれフレーム２１への取り付けはその他の方法を用いてもよい。
【００１２】
背もたれ部２は、通常の使用状態では図示するように傾斜状態で用いられ、乳幼児は傾斜された上方部に頭部が位置するようにして寝かされることになる。本実施形態では、背もたれフレーム２に、おもちゃなどを取り付けたりぶら下げたりしておくことができるトイバー２５が着脱自在に設けられてもよい。また、図示省略したが、乳幼児の落下を防止する肩ベルトを適宜設けることができる。なお、背もたれフレーム２１は、Ｕ字状に折曲された側（傾斜上方部）を先端部側、その反対側（傾斜下方部）を基部側として以下説明する。
【００１３】
支持部３は、床面に載置される部分であり、図２に示すように、同様にパイプ材でＵ字状に折曲形成されたベースフレーム３１を備える。この場合にあっても、ベースフレーム３１は、Ｕ字状に折曲された側（図２中向こう側）を先端部側、その反対側（図２中手前側）を基部側として以下説明する。背もたれフレーム２１とベースフレーム３１のそれぞれの基部側は、図２に示すように、硬質プラスチックなどの剛性に富んだ材料で形成されたベース部材４に取り付けられる。このとき、図３によって詳細に後述するが、ベースフレーム３１の基部部はベース部材４に強固に結合され、背もたれフレーム２１の基部部はベース部材４に回動自在に取り付けられる。
【００１４】
そして、背もたれフレーム２１とベースフレーム３１との間に、背もたれ部２の傾斜角度を調節するリクライニング機構１００が設けられ、このリクライニング機構１００によって背もたれ部２の傾斜角度を複数段で調節できるようになっている。
【００１５】
図２に示すベース部４は、それの上側が、緩やかな円弧面で形成されたベースカバー４１によって覆われているが、このベースカバー４１を取り外した状態を図３に示す。同図に示すように、背もたれフレーム２１の基部側は、ばね鋼などの弾性変形が可能な高強度材料で丸棒状に形成した基部フレーム２３が連結され、この基部フレーム２３が連結されることによって背もたれフレーム２１は閉ループ構造となっている。
【００１６】
基部フレーム２３は、背もたれフレーム２１の基部側両端部に連結される部分が直線状となり、その直線部分２３ａの下端部がやや後方に湾曲した後に左右方向に延在して、左右の直線部分２３ａを繋ぐトーションバー２３ｂとなっている。このトーションバー２３ｂの中央部は、直線部分２３ａとほぼ同方向に逆Ｕ字状に突出して、上述したリクライニング機構１０の取付部２４となり、この取付部２４によってトーションバー２３ｂは左右に分配されている。
【００１７】
一方、ベース部材４には、左右に分配されたトーションバー２３ｂを回転自在に受容する溝部５１が左右に形成されたフレームガイド５が固定され、左右の溝部５１に左右のトーションバー２３ｂを嵌合した後、フレームガイド５にビス止めされる押え板５２によって抜止めされる。また、ベースフレーム３１の基部側両端部は扁平にプレス加工されて固定部３１ａとなり、この固定部３１ａは、ベース部材４とフレームガイド５の両端部との間に挿入されて、フレームガイド５とともにベース部材４にビスで共締めされる。これによりベースフレーム３１の基部側はベース部４に強固に固定されることになる。
【００１８】
更に、Ｕ字状に形成されたベースフレーム３１の内方領域には、ベースフレーム３１の先端部側両側とフレームガイド５の中央部分とを連結する左右一対のサブフレーム３２が設けられる。
【００１９】
サブフレーム３２は、パイプ材によってほぼく字状に折曲形成されて左右対称に配置され、それぞれの後端部３２ａ（図中向こう側）は止具３３によってベースフレーム３１に止着される。また、それぞれの先端部３２ｂ（図中手前側）は所定間隔Ｌをもって平行配置され、フレームガイド５の上側にビス止めされる。このとき、そのビス止めされる基端部３２ｂが溝部５１の上側を覆って、トーションバー２３ｂの抜止めを兼ねている。
【００２０】
左右一対のサブフレーム３２の平行配置された基端部３２ｂの間隔Ｌは、リクライニング機構１００を配置するに十分な寸法が取られ、それら基端部３２ｂには、左右のトーションバー２３ｂ間の取付部２４よりもベースフレーム３１の基部側（図中向こう側）に位置して係止部材としてのカム受けシャフト３４が設けられ、このカム受けシャフト３４の両端部が両基端部３２ｂに取り付けられる。なお、ベース部材４および止具３３は直接床面に接触する部分であり、それぞれの下面には滑り止め部材若しくは滑り止め構造が配されて、乳幼児用シート１が容易に移動してしまうのが防止されるようになっている。
【００２１】
リクライニング機構１００は、図４に示すように、背もたれ部２の取付部２４に回転自在に取り付けられる第１の部材としての角度調整カム１１０と、この角度調整カム１１０に回動自在に取り付けられ、支持部３のカム受けシャフト３４が係合する第２の部材としてのセーフティロック１２０と、これら角度調整カム１１０とセーフティロック１２０のロック状態を保持するロック保持手段としてのねじりばね１３０（図７参照）と、を備えて構成される。
【００２２】
角度調整カム１１０は、図５に示すように、全体としてほぼ扇形をなし、その中心部に取付部２４を回転自在に保持する保持部１１１が設けられる。そして、角度調整カム１１０の外周上部は、保持部１１１からの半径Ｒ１が下部の半径Ｒ２よりも大きくなるように連続した円弧面で形成され、その円弧面には上方から下方に向かって複数（本実施形態では３箇所）の係合凹部１１０ａ、１１０ｂ、１１０ｃが、ほぼ一定の深さをもってほぼ等間隔に形成されている。
【００２３】
係合凹部１１０ａ〜１１０ｃの深さ方向は、カム受けシャフト３４の係脱方向となり、保持部１１１を中心とした放射状に配置されている。もちろん、係合凹部１１０ａ〜１１０ｃは、カム受けシャフト３４を受容できる幅をもって形成されている。また、保持部１１１から各係合凹部１１０ａ〜１１０ｃの底部までの距離は、係合凹部１１０ａから係合凹部１１０ｃに向かって段階的に短くなっている。
【００２４】
更に、角度調整カム１１０の上側縁には、角度調整カム１１０とセーフティロック１２０の回動操作を補助するためのハンドル１１２が設けられている。なお、ハンドル１１２は、必ずしも設ける必要はないし、形状も限定されるものではないが、角度調整カム１１０とセーフティロック１２０の相対的な位置移動をスムーズに行うために設けることが好ましい。また、ハンドル１１２の回動先端側近傍には、上述したねじりばね１３０以外に、角度調整カム１１０とセーフティロック１２０とのロック状態を更に確実に行うために、ロック保持手段としてのロック部１１３が設けられている。このロック部１１３は、角度調整カム１１０とセーフティロック１２０とのロックおよびロック解除を可能とし、ロックすることにより角度調整カム１１０とセーフティロック１２０との相対回動を確実に阻止できるようになっている。
【００２５】
保持部１１１は、角度調整カム１１０に形成した半円状凹部１１１ａを、図４に示すように、この角度調整カム１１０にビス止めされる固定プレート１１１ｂの半円状凹部１１１ｃで覆うようになっている。したがって、固定プレート１１１ｂを取り外した状態で、取付部２４を半円弧状凹部１１ａに配置した後にその固定プレート１１１ｂを固定することにより、取付部２４を脱落させることなく保持部１１１で保持できるようになっている。更に、角度調整カム１１０には、セーフティロック１２０に回動自在に取り付けるための第１の取付穴１１４が保持部１１１の近傍に形成されるとともに、この第１の取付穴１１４よりも外周寄り上部に第１のばね受部１１５が設けられている。
【００２６】
セーフティロック１２０は、図４に示すように、角度調整カム１１０を挟んでそれの両側に配置される一対の左側セーフティロック１２０Ａと右側セーフティロック１２０Ｂとで構成され、それら左側、右側セーフティロック１２０Ａ、１２０Ｂは互いに一体に連結されている。左側セーフティロック１２０Ａと右側セーフティロック１２０Ｂとは、左右対称の同一形状となっているため、左側セーフティロック１２０Ａを例にとって説明し、右側セーフティロック１２０Ｂの説明は省略するものとする。
【００２７】
左側セーフティロック１２０Ａは、図６に示すように、ハンドル１１２およびロック部１１３を除いた角度調整カム１１０の外形にほぼ沿った形状に形成されるが、この左側セーフティロック１２０Ａの下部外周部は、後述する弧状開口部１２３を形成する分だけ角度調整カム１１０よりも突出されている。左側セーフティロック１２０Ａは、角度調整カム１１０の第１の取付穴１１４に対応した位置に第２の取付穴１２１が形成され、この第２の取付穴１２１よりも外周寄り下部に第２のばね受部１２２が設けられている。
【００２８】
そして、左側セーフティロック１２０Ａの下部外周部には、支持部３のカム受けシャフト３４がその下部外周に沿って移動自在に挿通される弧状開口部１２３が形成されている。この弧状開口部１２３の内周は、角度調整カム１１０の外周とほぼ一致させてある。また、その弧状開口部１２３は、角度調整カム１１０の保持部１１１に対応する方向に向かって延長した延設部１２３ａが形成されている。この延設部１２３ａは、背もたれ部２を折り畳む際に、カム受けシャフト３４が取り込まれる部分である。
【００２９】
弧状開口部１２３の内周部には、角度調整カム１１０の係合凹部１１０ａ〜１１０ｃとほぼ等間隔をもって、これら係合凹部１１０ａ〜１１０ｃに対してカム受けシャフト３４の係脱方向とは異なる方向で、このカム受けシャフト３４を係脱自在とするロック凹部１２０ａ、１２０ｂ、１２０ｃが形成されている。本実施形態では、ロック凹部１２０ａ〜１２０ｃの形成方向は、図６に示すように、第２の取付穴１２１を中心とする円周方向となり、係合凹部１１０ａ〜１１０ｃの形成方向とはほぼ直角をなすようになっている。もちろん、ロック凹部１２０ａ〜１２０ｃは、カム受けシャフト３４を受容できる幅をもって形成される。
【００３０】
また、左側セーフティロック１２０Ａと右側セーフティロック１２０Ｂのそれぞれの外周部には、複数の結合穴１２４。１２４ａ、１２４ｂが形成され、左側セーフティロック１２０Ａと右側セーフティロック１２０Ｂとは、それらの間に角度調整カム１１０を挟んだ状態で、それぞれの結合穴１２４、１２４ａ、１２４ｂに挿通する図示省略したボルトおよびナットを介して結合される。
【００３１】
このとき、結合穴１２４は、図４に示すように角度調整カム１１０のハンドル１１２の前方に位置するように突設された突出部１２５の先端部に形成され、左側セーフティロック１２０Ａと右側セーフティロック１２０Ｂの突出部１２５間に、パイプ状スペーサ１２５ａを介在させて結合される。このパイプ状スペーサ１２５ａは、ハンドル１１２を操作する際の指当てとなる。
【００３２】
そして、リクライニング機構１００の組み付けは、第１の取付穴１１４と第２の取付穴１２１とを一致させるようにして、左側セーフティロック１２０Ａと右側セーフティロック１２０Ｂとの間に角度調整カム１１０を配置する。
【００３３】
このとき、図７に示すように、ねじりばね１３０のコイル部分１３１を第１の取付穴１１４（第２の取付穴１２１）の外周に同心状に配置して、それの一端部１３２を第１のばね受部１１５に係止させるとともに、他端部１３３を第２のばね受部１２２に係止させておく。ねじりばね１３０は、両端部１３２、１３３が拡開方向に付勢されている。なお、ねじりばね１３０は、角度調整カム１１０の片面側に配置してもよいし、両面側に一対配置してもよい。また、図７中、角度調整カム１１０は破線で示すとともに、セーフティロック１２０は実線で示し、ねじりばね１３０は太破線で示してある。
【００３４】
そして、角度調整カム１１０の第１の取付穴１１４と左側、右側セーフティロック１２０Ａ、１２０Ｂの第２の取付穴１２１とに図示省略したボルトを挿通し、適宜の締め付け力でナット締めする。このとき、同時に結合穴１２４、１２４ａ、１２４ｂに挿通したボルトは強くナット締めしておく。
【００３５】
このようにして組み付けられたリクライニング機構１００は、図３に示すように、角度調整カム１１０の保持部１１１を基部フレーム２３の取付部２４に取り付けるとともに、左側、右側セーフティロック１２０Ａ、１２０Ｂの弧状開口部１２３にサブフレーム３２のカム受けシャフト３４を挿通して取り付けられる。
【００３６】
このように取り付けが完了したリクライニング機構１００は、初期状態では、図７（ａ）に示すように、角度調整カム１１０が、ねじりばね１３０の付勢力によって左側、右側セーフティロック１２０Ａ、１２０Ｂ、つまりセーフティロック１２０に対して第１の取付穴１１４を中心として反時計回り方向に相対回動した状態となる。なお、この回動位置は、角度調整カム１１０の回動先端部１１６（図５参照）が、セーフティロック１２０の取付穴１２４ａのボス部１２６（図６参照）に当接することにより決定される。
【００３７】
そして、かかる初期状態では、角度調整カム１１０の係合凹部１１０ａ〜１１０ｃは、セーフティロック１２０のロック凹部１２０ａ〜１２０ｃと重なり合った状態となる。この状態では、それぞれの凹部の内方にカム受けシャフト３４の配置スペースを残して、係合凹部１１０ａ〜１１０ｃの出口は、ロック凹部１２０ａ〜１２０ｃの出口周囲で覆われて、カム受けシャフト３４の径よりも小さな隙間となって閉塞される。つまり、ロック凹部１２０ａ〜１２０ｃは、初期状態で、係合凹部１１０ａ〜１１０ｃがカム受けシャフト３４を係脱する方向とは異なる方向に開口しているため、カム受けシャフト３４が係合凹部１１０ａ〜１１０ｃから抜脱されるのをロック凹部１２０ａ〜１２０ｃによって阻止することができる。この状態がロック状態となる。
【００３８】
次に、角度調整カム１１０のハンドル１１２を、ねじりばね１３０の付勢力に抗してセーフティロック１２０内に押し込むことにより、図７（ｂ）に示すように、角度調整カム１１０は、第１の取付穴１１４を中心として時計回り方向に相対回動してロック解除状態となる。つまり、このロック解除状態では、係合凹部１１０ａ〜１１０ｃとロック凹部１２０ａ〜１２０ｃのそれぞれの出口が一致されて、カム受けシャフト３４の通過が許容される状態となる。
【００３９】
従って、本実施形態の乳幼児用シート１では、まず、係合凹部１１０ａ〜１１０ｃのうちの１つ、たとえば、図７（ａ）に示すように、保持部１１１から最も遠い係合凹部１１０ａにカム受けシャフト３４を係合してロック状態としておく。すると、背もたれ部２は、図３に示すように、取付部２４とカム受けシャフト３４との間の距離が最も大きくなるため、傾斜角度が最大に設定された状態となる。
【００４０】
そして、背もたれ部２の傾斜角度を小さくしたい場合は、図７（ｂ）に示すように、ハンドル１１２を押し下げると、係合凹部１１０ａ〜１１０ｃとロック凹部１２０ａ〜１２０ｃのそれぞれの出口が一致されるため、係合凹部１１０からカム受けシャフト３４を抜き出すことができる。この状態で、抜き出したカム受けシャフト３４を、弧状開口部１２３内を移動させて他の係合凹部１１０ｂ、１１０ｃのうちの１つに係合させる。この状態でハンドル１１２から手を離すと、ねじりばね１３０の付勢力で再度ロック状態となる。このロック状態はねじりばね１３０の付勢力で保持される。
【００４１】
また、本実施形態では、ねじりばね１３０以外にロック部１１３が設けられているため、このロック部１１３をロックしておくことにより、角度調整カム１１０の相対回動を阻止でき、ロック状態がより確実に保持される。なお、本実施形態では、ロック保持手段を、ねじりばね１３０とロック部１１３との二段構えで構成したが、少なくともねじりばね等の付勢手段、又は角度調整カム１１０とセーフティロック１２０とのロックおよびロック解除を可能とするロック部のいずれか一方を備えておればよい。なお、ねじりばね等の付勢手段のほうが、より簡単な構成でロック状態の保持が可能となり好ましい。
【００４２】
更に、本実施形態では、カム受けシャフト３４を弧状開口部１２３の延設部１２３ａに位置させることにより、背もたれ部２を支持部３側に折り畳むことができるようになっている。なお、角度調整カム１１０とセーフティロック１２０は、必ずしも回動可能に取り付けられている必要はなく、角度調整カム１１０とセーフティロック１２０との位置関係を相対的に移動可能なように配置されていれば特に限定されるものではない。角度調整カム１１０とセーフティロック１２０とを相対的に移動した際に、角度調整カム１１０の係合凹部１１０ａ〜１１０ｃとセーフティロック１２０のロック凹部１２０ａ〜１２０ｃのそれぞれの開口部の方向がほぼ一致して、カム受けシャフト３４の通過が許容される状態（係脱状態）となればよい。
【００４３】
以上の構成により本実施形態の乳幼児用シート１によれば、背もたれ部２は、リクライニング機構１００によって傾斜角度が複数段に調節できるようになっており、その角度調節はカム受けシャフト３４を、角度調整カム１１０の複数の係合凹部１１０ａ〜１１０ｃの１つに係合させることで行われる。このとき、係合凹部１１０ａ〜１１０ｃの１つに係合されたカム受けシャフト３４は、セーフティロック１２０のロック凹部１２０ａ〜１２０ｃの１つにも係合される。このロック凹部１２０ａ〜１２０ｃは、初期状態で、係合凹部１１０ａ〜１１０ｃがカム受けシャフト３４を係脱する方向とは異なる方向に開口しているため、カム受けシャフト３４が係合凹部１１０ａ〜１１０ｃから抜脱されるのをロック凹部１２０ａ〜１２０ｃによって阻止することができる。本実施の形態にかかる乳幼児用シートは、角度調整カム１１０とセーフティロック１２０を相対的に回動することによるロック部を有することにより、係合凹部に係合された係止部材があやまって抜け出るのを防止することができる。
【００４４】
そして、このように係合凹部１１０ａ〜１１０ｃからカム受けシャフト３４が抜脱されるのを阻止する状態は、ねじりばね１３０によって保持できるため、背もたれ部２が上下方向に揺動された場合にも、リクライニング機構１００によって背もたれ部２を所定の角度に保持させた状態を維持できる。
【００４５】
また、本実施形態によれば、リクライニング機構１００は、セーフティロック１２０が角度調整カム１１０の両側に配置される左側セーフティロック１２０Ａと右側セーフティロック１２０Ｂとで構成される。そして、これら左側、右側セーフティロック１２０Ａ、１２０Ｂが角度調整カム１１０を挟んだ状態で互いに一体に連結される。したがって、カム受けシャフト３４が係合凹部１１０ａ〜１１０ｃとロック凹部１２０ａ〜１２０ｃとに係合された状態にあるとき、このカム受けシャフト３４の両端部側を、両側に配置した左側、右側セーフティロック１２０Ａ、１２０Ｂで均等に受け止めることができる。これにより、カム受けシャフト３４に傾き方向の荷重が作用するのを防止して、係合凹部１１０ａ〜１１０ｃにカム受けシャフト３４が係合された状態をより確実に維持することができる。
【００４６】
以上、本発明の好ましい実施形態について述べたが、この実施形態に限ることなく本発明の要旨を逸脱しない範囲で各種変更が可能である。たとえば、リクライニング機構１００は、角度調整カム１１０を背もたれ部２側に取り付け、セーフティロック１２０を支持部３側に取り付けた場合を示したが、それらを逆にして取り付けても同様の機能を奏することができる。また、セーフティロック１２０を左側、右側セーフティロック１２０Ａ、１２０Ｂで構成して、それらを角度調整カム１１０の両側に配置したが、角度調整カム１１０を左右に分割して１つのセーフティロック１２０の両側に配置してもよい。
【００４７】
更に、角度調整カム１１０とセーフティロック１２０とをロック方向に付勢するためにねじりばね１３０を用いたが、これに限ることはなくコイルばねや渦巻きばねあるいはゴムなどの他の付勢手段を用いることができる。また、背もたれ部２および支持部３の構成は本実施形態に限ることなく、乳幼児を安全に着座や寝かしをできて角度変化が可能な背もたれ部に相当する構造部分と、支持部に相当する構造部分とを備えておればよい。そして、それら背もたれ部に相当する構造部分と支持部に相当する構造部分との間に、複数段の角度調節が可能なリクライニング機構が設けられた構造であれば本発明を適用することができる。
【符号の説明】
【００４８】
１  乳幼児シート
２  背もたれ部
３  支持部
３４  カム受けシャフト（係止部材）
１００  リクライニング機構
１１０  角度調整カム（第１の部材）
１１０ａ、１１０ｂ、１１０ｃ  係合凹部
１１３  ロック部（ロック保持手段）
１２０  セーフティロック（第２の部材）
１２０ａ、１２０ｂ、１２０ｃ  ロック凹部
１３０  ねじりばね（ロック保持手段）
【図１】
0005624426.tif 000002
【図２】
0005624426.tif 000003
【図３】
0005624426.tif 000004
【図４】
0005624426.tif 000005
【図５】
0005624426.tif 000006
【図６】
0005624426.tif 000007
【図７】
0005624426.tif 000008